(57)【要約】【課題】下枠の上面を形成する部材を着脱できる構造を有する開口部装置において、止水性を向上させることを可能とする開口部装置を提供する。【解決手段】上枠１１、下枠１２、及び縦枠１６が枠組みされた枠体１０と、枠体の枠組み内に配置される障子３０、３５と、を備え、下枠は、２つの縦枠間の端部を渡されるように配置される下枠本体１３と、下枠本体の見付け方向左右に沿って配置されて、下枠の上面の一部を形成して下枠として機能するとともに、下枠本体から着脱可能である着脱下枠１４とを備え、着脱下枠は、その少なくとも一端の少なくとも一部が縦枠の見込み面に接触されるように配置され、下枠には着脱下枠の見付け方向左右への移動を制限する移動制限手段１３ｅ、１４ｆが備えられる。【選択図】図９
2014109125.tif 000002
【特許請求の範囲】
【請求項１】
上枠、下枠、及び縦枠が枠組みされた枠体と、
前記枠体の枠組み内に配置される障子と、を備え、
前記下枠は、
２つの前記縦枠間の端部を渡されるように配置される下枠本体と、
前記下枠本体の見付け方向左右に沿って配置されて、前記下枠の上面の一部を形成して前記下枠として機能するとともに、前記下枠本体から着脱可能である着脱下枠とを備え、
前記着脱下枠は、その少なくとも一端の少なくとも一部が前記縦枠の見込み面に接触されるように配置され、
前記下枠には前記着脱下枠の見付け方向左右への移動を制限する移動制限手段が備えられる、開口部装置。
【請求項２】
前記着脱下枠には、前記障子を案内する手段が形成されていることを特徴とする請求項１に記載の開口部装置。
【請求項３】
前記移動制限手段は、
前記下枠本体から前記着脱下枠に向けて延びる片、及び、該片に係合する前記着脱下枠に前記下枠本体に向けて延びるように設けられた係合片を有している、請求項１又は２に記載の開口部装置。
【請求項４】
前記係合片は前記着脱下枠の最端部に設けられていることを特徴とする請求項３に記載の開口部装置。
【発明の詳細な説明】
【技術分野】
【０００１】
本発明は、建物の開口部に配置される開口部装置に関する。
【背景技術】
【０００２】
建物の屋内外や隣接する部屋間を連通する建物の開口部には、開口部を開放及び閉鎖する開口部装置が備えられている。この開口部装置には建物の開口部の縁に沿って固定された枠体と、該枠体の枠組みされた枠内に配置される開閉可能な障子と、が備えられており、障子の移動、回動や揺動により開口部の開放および閉鎖ができるように構成されている。
【０００３】
枠体の下枠には障子を案内するガイド（レール）や、障子を受け止める戸当て等が該下枠から突出するように設けられ、複雑な凹凸が形成されることがある。このような凹凸は掃除の際に室内側の埃等を室外側に掃き出すことを困難にするため、下枠両端には凹凸がなく平坦に形成された掃出し部を設ける。
【０００４】
ところがこのような掃出し部は仕切られた部屋の内外を連通する通路を形成してしまい、水密性、気密性を低下させてしまう。これに対して特許文献１には掃出し部における気密性を向上するために、下枠のレール端部の掃出し部に装着するカバー体が開示されている。
【先行技術文献】
【特許文献】
【０００５】
【特許文献１】特開２００８−８２１２２号公報
【発明の概要】
【発明が解決しようとする課題】
【０００６】
このような掃出し部を設けることにより下枠の清掃性を向上させる技術に対し、下枠に形成されるレールやガイド等の凹凸部分自体を下枠本体から離脱できるように構成する技術がある。これによれば、下枠本体から離脱させた部位はこれを直接清掃することができ、下枠本体には凹凸がほとんどないので容易に清掃をすることが可能である。
【０００７】
一方、近年におけるバリアフリー構造により、開口部装置の下枠上面と、部屋の床面との段差が小さくなったことから例えば浴室と更衣室の間に配置された開口部装置等では、水密性をさらに高めることが必要になっている。
ところが、下枠本体から凹凸部分を着脱することができるように構成すると、ガタが発生し、凹凸部分端部と縦枠との間に間隙が形成されるという不具合があった。この間隙は水を通す入水経路となり、止水性能が低下する原因の１つとなる。
【０００８】
このような開口部装置に対して、上記特許文献１のような技術を適用しても、凹凸部分自体がガタにより間隙を形成しているので、この間隙を解消することはできない。
【０００９】
そこで本発明は、下枠の上面を形成する部材を着脱できる構造を有する開口部装置において、止水性を向上させることを可能とする開口部装置を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、上枠（１１）、下枠（１２）、及び縦枠（１６）が枠組みされた枠体（１０）と、枠体の枠組み内に配置される障子（３０、３５）と、を備え、下枠は、２つの縦枠間の端部を渡されるように配置される下枠本体（１３）と、下枠本体の見付け方向左右に沿って配置されて、下枠の上面の一部を形成して下枠として機能するとともに、下枠本体から着脱可能である着脱下枠（１４）とを備え、着脱下枠は、その少なくとも一端の少なくとも一部が縦枠の見込み面に接触されるように配置され、下枠には着脱下枠の見付け方向左右への移動を制限する移動制限手段（１３ｅ、１４ｆ）が備えられる、開口部装置（１）である。
【００１２】
請求項２に記載の発明は、請求項１に記載の開口部装置（１）において、着脱下枠（１４）には、障子（３０、３５）を案内する手段（１４ｃ、１４ｇ）が形成されていることを特徴とする。
【００１３】
請求項３に記載の発明は、請求項１又は２に記載の開口部装置（１）において、移動制限手段は、下枠本体（１３）から着脱下枠（１４）に向けて延びる片（１３ｅ）、及び、該片に係合する着脱下枠に下枠本体に向けて延びるように設けられた係合片（１４ｆ）を有している。
【００１４】
請求項４に記載の発明は、請求項３に記載の開口部装置（１）において、係合片（１４ｆ）は着脱下枠（１４）の最端部に設けられていることを特徴とする。
【発明の効果】
【００１５】
本発明によれば、着脱可能である着脱部材が下枠本体に装着された姿勢では、着脱部材の少なくとも一端側が縦枠に突き当てられて止水性が確保される。その際には移動制限手段により、着脱部材が見付け方向左右に移動すること制限しているので、着脱部材と縦枠との止水性が安定して維持される。
【図面の簡単な説明】
【００１６】
【図１】１つの形態に係る開口部装置１の正面図である。
【図２】図１のＩＩ−ＩＩで示した線に沿った水平方向の断面図である。
【図３】図２と同じ視点で障子３０、３５を開放した姿勢の断面図である。
【図４】図１にＩＶ−ＩＶで示した線に沿った鉛直方向の断面図である。
【図５】図５のうち、下枠本体１３、及び着脱下枠１４に注目した分解図である。
【図６】下枠と縦枠との入隅部に注目した斜視図である。
【図７】図７（ａ）は着脱下枠の端部の平面図、図７（ｂ）は着脱下枠の端部の斜視図である。
【図８】着脱下枠を装着した姿勢における下枠と縦枠との入隅部に注目した斜視図である。
【図９】図９（ａ）は図８（ａ）の一部を拡大した図、図９（ｂ）はこれをさらに拡大した図である。
【発明を実施するための形態】
【００１７】
本発明の上記した作用及び利得は、次に説明する発明を実施するための形態から明らかにされる。以下、本発明を図面に示す実施形態に基づき説明する。なお、ここに示す各図では説明のため一部の部材を省略したり、部材の形状を誇張して表すことがある。
また、以下の説明では、開口部装置が建物開口部に設置された姿勢で、開口部装置により仕切られた部屋から開口部装置を見たときに上下となる方向を見付け方向上下、左右となる方向を見付け方向左右、仕切られた隣接する部屋間の内外方向を見込み方向と記載することがある。さらに、見付け方向左右及び見付け方向上下に平行な面を見付け面、並びに見込み方向に平行な面を見込み面と記載することがある。
【００１８】
図１は１つの形態に係る開口部装置１の正面図である。本形態では開口部装置１により浴室と更衣室とを仕切る場合について説明する。図１は浴室側から見た図である。本形態は、２枚の引違い障子３０、３５で開口部分１０ａを閉鎖可能とし、当該障子３０、３５を見付け方向左右に移動して戸袋部分１０ｂに収容することで開口部分１０ａを開放する、いわゆる引き戸式の開口部装置である。
図２は図１にＩＩ−ＩＩで示した水平方向矢視断面図、図３は図２と同じ視点における障子３０、３５を開放した姿勢の断面図、図４は図１にＩＶ−ＩＶで示した鉛直方向矢視断面図である。図４では２枚の障子３０、３５ともに断面で表している。図２〜図４には併せて浴室側及び更衣室側となる方向を示している。
【００１９】
開口部装置１は、図１乃至図４に表れているように、浴室と浴室外としての更衣室との間の建物開口部における躯体に固定された枠体１０と、該枠体１０の枠内に見付け方向左右に移動可能に設けられた２枚の障子３０、３５が引違いに配置されている。
【００２０】
枠体１０は、上枠１１、下枠１２、縦枠１６、方立１７、下枠止水材１８、及び端部止水部材１９を有している。
【００２１】
上枠１１は、枠体１０の上枠を構成する長尺の部材で、図４に表れる断面を有して長手方向に延びるように形成されている。上枠１１は、その長手方向が建物開口部の上縁に沿って配置され、建物躯体に固定されている。
図４からわかるように、本形態の開口部装置１の上枠１１は、後述する障子３０、３５の上端に設けられた吊り車３３、３８が載置されて転動するレール１１ａ、１１ｂを備えている。レール１１ａとレール１１ｂとは見込み方向に並べて配列され、それぞれが上枠１１の長手方向に沿って見付け方向左右に延びるように形成されている。一方のレール１１ａが障子３０、他方のレール１１ｂが障子３５のためのレールである。
【００２２】
下枠１２は、下枠本体１３、着脱下枠１４、及びスロープ１５を具備して形成されている。図５には、図４のうち下枠本体１３及び着脱下枠１４を表し、下枠本体１３と着脱下枠１４とを分離して示した分解断面図を示した。また、図６には、下枠１２と縦枠１６とが形成する入隅部のうち、開口部分１０ａ側の入隅部を浴室側からみた斜視図で表した。図６では下枠本体１３の形態がわかるように着脱下枠１４を除外して示している。
【００２３】
下枠本体１３は、枠体１０の下枠を構成する部材のうち、建物躯体に固定される長尺の部材で、図４、図５に表れる断面を有して長手方向に延びるように形成されている。下枠本体１３は、その長手方向が建物開口部の下縁に沿って配置され、建物躯体に固定されている。
【００２４】
図４、図５からわかるように、下枠本体１３は、当該断面において見込方向に延びる片１３ａを有し、該片１３ａの見込方向一方側及び他方側端部からは見付け方向上下の上方に向けて片１３ｂ、１３ｃが立設している。これにより片１３ａを底、片１３ｂ、１３ｃを壁とする凹部１３ｄが形成されている。凹部１３ｄの所定の位置には片１３ａから見付け方向上下の上方に向けて片１３ｅが立設されている。当該片１３ｅの位置は後述する着脱下枠１４と関係し、後で説明する。また片１３ｅは図６からわかるように、縦枠１６に達する前に切り欠かれ、縦枠１６と片１３ｅの端面との間には間隙１３ｆが形成される。片１３ｅは後で説明する係合片１４ｆと合わせて着脱下枠１４の移動制限手段としても機能する。
【００２５】
また下枠本体１３には、浴室側に配置される片１３ｂから見込み方向浴室側に延びる片１３ｇが設けられている。なお、片１３ｂにはスロープ１５を引っ掛けて保持する係止片１３ｈが具備されている。ここに取り付けられるスロープ１５は図１乃至図３からわかるように開口部分１０ａ側にのみ設けられているので、片１３ｇも下枠本体１３のうち開口部分１０ａにのみ具備されていればよい。
【００２６】
一方、片１３ｃの更衣室側には、下枠止水材取付溝１３ｉが設けらている。
さらに、下枠止水材取付溝１３ｉの更衣室側壁を形成する片からは更衣室側に向かって見込み方向に延びる片１３ｊが具備されている。
【００２７】
着脱下枠１４は、枠体１０の下枠を構成する部材のうち、下枠本体１３の凹部１３ｄ内に装着及び離脱できるように構成された長尺の部材で、図４、図５に表れる断面を有して長手方向に延びるように形成されている。本形態では着脱下枠１４は、後述する障子３０、３５の下端に設けられたガイド片３２ａ、３７ａが挿入され、該ガイド片３２ａ、３７ａをガイドする溝であるガイド溝１４ｃ、１４ｇを形成する。
本形態では開口部装置１が吊り戸の形態であるため、下枠１２の着脱下枠１４によりガイド溝１４ｃ、１４ｇを形成する例を示したが、着脱下枠は、下枠の上面の少なくとも一部を形成する部材であればよく、着脱下枠により形成される具体的形態は障子の形態に合わせて適宜変更することが可能である。例えば障子の下端に戸車が備えられた形態では着脱下枠にレールを形成することができる。また、障子が回動式、揺動式の開き戸の形態では、着脱下枠に戸当たりが設けられたり、平坦であってもよい。
【００２８】
本形態では、図４、図５からわかるように、着脱下枠１４は、当該断面において見込方向に延びる片１４ａ、１４ｂを有し、片１４ａと片１４ｂとは見込み方向に所定の間隔を有して並べるように配列されている。本形態では更衣室側に片１４ａ、浴室側に片１４ｂが配置されている。そして当該間隔にガイド溝１４ｃが形成されており、該ガイド溝１４ｃにより片１４ａと片１４ｂとが連結されている。またガイド溝１４ｃの開口の縁部にはパッキンを具備している。
片１４ａの更衣室側の端部、及び片１４ｂの浴室側の端部からは見付け方向上下で下枠本体１３の片１３ａに向けて片１４ｄ、１４ｅが延びている。さらに片１４ｄの更衣室側からは更衣室側に向けて見込み方向に片１４ｈが延在する。
【００２９】
一方、着脱下枠１４の長手方向については次の通りである。図７には、着脱下枠１４の長手方向端部形状のうち、開口部分１０ａにおける下枠１２と縦枠１６とが形成する入隅部に配置される側の端部を表した。図７（ａ）は、上方から見た図（図３と同じ視点）、図７（ｂ）は斜視図である。
図３、図７（ａ）、図７（ｂ）からわかるように、着脱下枠１４の当該端部は、片１４ａが片１４ｂよりも短くなるように形成されている。これにより後述するように片１４ａと縦枠１６との間に間隙が形成され、使用者はここに指等を差し込んで着脱下枠１４を下枠本体１３から容易に離脱することができる。
また、図７（ｂ）からわかるように、片１４ａの端面からは下枠本体１３の片１３ａに向けて見付け方向上下の下方に延びる係合片１４ｆが設けられている。本形態では片１４ａの一部が下方に折り曲げられて形成されている。当該係合片１４ｆは後述するように、下枠本体１３の片１３ｅと合わせて着脱下枠１４の見付け方向左右への移動を制限する移動制限手段として機能する。
【００３０】
このような着脱下枠１４は次のように下枠本体１３に装着される。図８には着脱下枠１４を下枠本体１３に装着した場面における、下枠１２と縦枠１６とが形成する入隅部のうち開口部分１０ａ側を表した斜視図を示した。また、図９（ａ）、図９（ｂ）はさらに、当該入隅部を拡大した図である。
【００３１】
図４、図５からわかるように、着脱下枠１４は、下枠本体１３の凹部１３ｄの内側に載置される。このとき、着脱下枠１４の片１４ｅ、片１４ｄの下端が下枠本体１３の凹部１３ｄの底を形成する片１３ａに載せられるように配置される。その際には着脱下枠１４は凹部１３ｄのうち更衣室側に寄せられる。これにより、浴室側において片１４ｅと片１３ｂとの間に間隙を形成することができ、この間隙がガイド溝１４ｇとなる。
着脱下枠１４を下枠本体１３に装着した姿勢では、図４、図５からわかるように、下枠本体１３の片１３ｅと片１３ｃとの間に、着脱下枠１４の片１４ｄ、片１４ｈが配置され、片１４ｄが片１３ｅに、片１４ｈの更衣室側の端部が片１３ｃにそれぞれ接触可能に位置づけられる。これにより、着脱下枠１４が見込み方向に移動してしまうことを制限し、ガイド溝１４ｃの位置決め及びガイド溝１４ｇの維持が図られる。
【００３２】
一方、着脱下枠１４の長手方向については、図３、図８、図９によく表れているように着脱下枠１４の長手方向が下枠本体１３の凹部１３ｄの長手方向に沿うように配置される。このとき、着脱下枠１４の端部のうち開口部分１０ａ側の端部は、片１４ｂの端面が縦枠１６の見込み面１６ａに突き当てられる。一方、片１４ａは上記のように片１４ｂより短くされているので、縦枠１６と片１４ａとの間には間隙が形成される。これにより、片１４ｂと縦枠１６との接触により止水性が確保される。また片１４ａと縦枠１６との間の間隙に使用者は指を差し入れる等して着脱下枠１４を着脱することができる。
このとき、下枠本体１３の片１３ｅは縦枠１６に達する前に切り欠かれ、間隙１３ｆが形成されており（図６参照）、一方、片１４ａの端面には係合片１４ｆが設けられている。そして、図９（ａ）、図９（ｂ）から特によくわかるように、係合片１４ｆが間隙１３ｆの間に入るとともに、係合片１４ｆが片１３ｅの端面に係止するように配置される。これにより着脱下枠１４が見付け方向左右（長手方向）に移動することが制限され、片１４ｂが縦枠１６から離れて間隙を生じさせることによる止水性の低下を防止することができる。
【００３３】
着脱下枠１４の下枠本体１３からの離脱は、着脱下枠１４は下枠本体１３に載置されているだけなので、容易におこなうことができる。着脱下枠１４を下枠本体１３から離脱すれば図６に表れるように、平滑部分が多くて清掃がしやすい。凹部１３ｄには不図示の排水手段が設けられており、適切な排水も速やかに行われる。
【００３４】
本形態では、着脱下枠１４の端部に、見付け方向左右への移動制限手段を設けたが、本発明はこれに限定されることなく下枠のいずれかの部位に当該移動制限手段が設けられていればよい。例えば着脱下枠の長手方向のいずれかの部位に下方に突出する突起を設け、下枠本体にはこれに係合する凹部を設けておき、着脱下枠の装着時には当該突起と凹部とが係合するように構成することもできる。
また、本形態では着脱下枠１４は一体で構成されているが、開口部の見付け方向左右に分割して複数で構成されてもよい。着脱下枠が複数で構成された場合は、見付け方向左右に隙間ができやすいが、本発明により縦枠と着脱下枠との間隙を最小限に抑えることができる。
【００３５】
図１乃至図４に戻り、下枠１２のスロープ１５について説明する。下枠１２のスロープ１５は、図１乃至図４に表れているように板状の部材であり、更衣室側の端部が下枠本体１３のスロープ取付片１３ｈに係止して取り付けられ、浴室側端部は浴室の床面に近づくように傾斜して配置される。これにより、スロープ１５が下枠本体１３の浴室側の縁部を覆い、下枠１２の上面と浴室の床との段差を滑らかに連結している。一方、スロープ１５の見付け方向左右は、図２、図３からわかるように開口部分１０ａ全体に亘って延在する。
【００３６】
次に縦枠１６について説明する。縦枠１６は、枠体１０の縦枠を構成する長尺の部材で、図２、図３に表れる断面を有して見付け方向上下を長手方向として延びるように形成されている。図１からわかるように、縦枠１６は左右に２つの設けられ、その長手方向が建物開口部の左右縁のそれぞれに沿って配置され、その端部が上枠１１の端部と下枠本体１３の端部とを渡すように取り付けられるとともに建物躯体にも固定されている。
本形態では、図６からわかるように縦枠１６の見込み面１６ａに下枠本体１３の端部が突き当てられるように組み合わされる。このとき見込み面１６ａと下枠本体１３の端部との間に板状のシール材が挟まれてもよい。
【００３７】
縦枠１６には、必要に応じて複数の片が見付け方向左右に延びるように設けられている。そのうちの１つとして、縦枠１６には、その見込み面１６ａ（図２、図３、図６参照）から、片１６ｂが見付け方向左右のうち枠内側に延びるように設けられている。より詳しくは、片１６ｂは、図２乃至図６に表れているように、上記した下枠止水材取付溝１３ｉの浴室側に隣接する位置に、見付け方向左右のうち枠内側に延びるように形成されている。片１６ｂは、図２、図３からわかるように左右両方の縦枠１６にそれぞれに同様に設けられている。一方、片１６ｂは縦枠１６の長手方向に沿って見付け方向上下に延在している。
【００３８】
方立１７は、図１乃至図３からわかるように、図２、図３に示した断面を有して見付け方向上下に延びる部材である。方立１７は２つの縦枠１６間に、該縦枠１６と概ね平行に配置され、上端が上枠１１に、下端が下枠本体１３に固定される。また、方立１７は図２、図３に表れているように、上枠１１、下枠本体１３のうち、浴室側に寄せられた位置に設置されている。
【００３９】
このように方立１７が２つの縦枠１６間に配置されることにより、上枠１１、下枠１２及び縦枠１６により囲まれた枠内が２つの部位に分割され、一方が開口部分１０ａ、他方が戸袋部分１０ｂとされている。戸袋部分１０ｂには上枠１１、下枠１２、方立１７及び縦枠１６で囲まれる枠内に面材であるパネル４０が固定されている。
【００４０】
下枠止水材１８は、図４にその断面形状が表れ、図２、図３、図６に長手方向の態様が示されている。すなわち、下枠止水材１８は、その下部が下枠本体１３の下枠止水材取付溝１３ｉに挿入され、上部が下枠止水材取付溝１３ｉから上枠１１側に向けて上方に突出するように配置され、止水をする機能を有する。下枠止水材１８の当該突出する上部は、中空の断面形状を備えていることが好ましい。これにより、人が踏むなどして倒れても再び起立する性能を高めることができる。下枠止水材１８は、人が踏むことや再び起立する必要がある観点から樹脂やゴム等により形成されることが好ましい。
【００４１】
一方、下枠止水材１８の長手方向は図２、図３、図６に表れているように、その両端が２つの縦枠１６の見込み面１６ａ、又はその近くにまで達するように延在する。すなわち、下枠止水材１８は、下枠本体１３の概ね全長に亘って延在するように下枠本体１３に取り付けられる。このとき、下枠止水材１８の浴室側の面（見付け面）のうち、下枠止水材１８の両端部のそれぞれが、縦枠１６の片１６ｂの更衣室側の面（見付け面）に対向するように配置される。これにより後述するように下枠止水材１８の両端部を縦枠１６と端部止水部材１９とで挟むように配置することが可能となる。
【００４２】
端部止水部材１９は、下枠本体１３と縦枠１６とにより形成される入隅部の止水性を向上するとともに、起立すべき下枠止水材１８が倒れたままの姿勢となることを防止する。端部止水部材１９は止水性、及び下枠止水材１８の保持の観点から硬質の樹脂又はゴムにより構成されていることが好ましい。
【００４３】
このような端部止水部材１９は、図２〜図４、図６に表れるように配置される。すなわち、端部止水部材１９は、下枠本体１３と縦枠１６とが形成する入隅部のうち、更衣室側に配置される。そのとき、端部止水部材１９の浴室側見付け面が、下枠止水材１８の更衣室側の見付け面の端部に対向するように位置付けられ、下枠止水材１８の端部を縦枠１６の片１６ｂの見付け面１６ｃとの間に挟むように配置される。
【００４４】
このような端部止水部材１９によれば、下枠止水材１８の端部が縦枠１６の片１６ｂの見付け面と端部止水部材１９の見付け面との間に挟まれるように配置されるので、いわゆる突き当てによる端面接触よりも止水性を向上させることができる。また、下枠止水材１８の一方側の見付け面が端部止水部材１９ではなく、剛性が高い縦枠１６の見付け面により保持されているので、下枠止水材１８の起立を助け、下枠止水材１８が倒れたままの姿勢になることを従来よりも確実に防止することができる。
【００４５】
図１乃至図４に戻り、障子３０、３５について説明する。障子３０、３５はいわゆる内障子と外障子の違いに起因する構造の違いはあるものの、基本的な構造は概ね同じである。すなわち、障子３０、３５は面材としてのパネル３１、３６を有し、その外周を縁取るように框３２、３７が配置されている。框３２、３７の上部には吊り車３３、３８が上方に延びるように配置され、框３２、３７の下部にはガイド片３２ａ、３７ａが下方に延びるように設けられている。
【００４６】
このような障子３０は、上部に配置された吊り車３３が上枠１１のレール１１ａに載置され、下部に設けられたガイド片３２ａが下枠１２の着脱下枠１４のガイド溝１４ｃに挿入される。これにより障子３０は、枠体１０内のうち更衣室側において見付け方向左右に移動可能とされる。
一方、障子３５は、上部に配置された吊り車３８が上枠１１のレール１１ｂに載置され、下部に設けられたガイド片３７ａが下枠１２の着脱下枠１４のガイド溝１４ｇに挿入される。これにより障子３５は、枠体１０内のうち障子３０より浴室側において見付け方向左右に移動可能とされる。
以上より、図１に示した視点で障子３０が左側、障子３５がその右側に配置され、開口部分１０ａを閉鎖することにより、障子３０、３５、及びパネル４０により建物開口部が閉鎖される。障子３０、３５を見付け方向左右の右側に移動することにより障子３０、３５を戸袋部分１０ｂ側に配置して見込み方向にパネル４０と重ねることにより、開口部分１０ａが開放される。
【符号の説明】
【００４７】
１  開口部装置
１０  枠体
１１  上枠
１２  下枠
１３  下枠本体
１３ｅ  片（移動制限手段）
１４  着脱下枠
１４ｆ  係合片（移動制限手段）
１６  縦枠
１７  方立
１８  下枠止水材
１９  端部止水部材
【図１】
2014109125.tif 000003
【図２】
2014109125.tif 000004
【図３】
2014109125.tif 000005
【図４】
2014109125.tif 000006
【図５】
2014109125.tif 000007
【図６】
2014109125.tif 000008
【図７】
2014109125.tif 000009
【図８】
2014109125.tif 000010
【図９】
2014109125.tif 000011